(57)【要約】【課題】  センサが異常検知信号を出力しても、それが誤動作の可能性がある場合は、直ちに管理人に通報することがない集合住宅インターホンシステムを提供する。【解決手段】  生活異変センサ６が接続されて、居室親機３や管理室親機４に異常発生を通知するアダプタ８に、居住者が身につけて脈拍数、立位や臥位の姿勢情報等身体状態の異変を検知する生体モニタ７を無線接続し、生活異変センサ６から異常検知信号を受信したアダプタは、生体モニタ７から受信している信号が所定の条件を満たしていたら、最初に居室親機３のみ警報を鳴動させて管理室親機４への通知を遅延させるか実施しない。生活異変センサ６から異常検知信号を受信した際に、生体モニタ７から受信している信号が所定の条件を満たしていなければ、管理室親機４へ遅滞なく通知して警報を鳴動させる。【選択図】  図２
2010056895.tif 000002
【特許請求の範囲】
【請求項１】
集合住宅の共同玄関に設置されて居住者を呼び出すための集合玄関機と、各住戸の玄関に設置されて居住者を呼び出すための住戸玄関機と、各住戸に設置されて前記集合玄関機、住戸玄関機からの呼び出しに応答するための居室親機と、管理室に設置されて前記集合玄関機や前記居室親機と通話が可能な管理室親機と、居住者の異常を検知する生活異変センサが接続されて前記居室親機や前記管理室親機に居住者に発生した異常を通知するアダプタとを備えた集合住宅インターホンシステムであって、
居住者が、脈拍数及び立位や臥位の姿勢情報等の居住者の身体情報を検出する生体モニタを身につけると共に、前記アダプタは前記生体モニタから送出される生体情報を入手する生体情報入力部を有し、
前記アダプタは、前記生活異変センサから異常検知信号を受信した際に、前記生体モニタから受信している信号が所定の条件を満たす定常状態にあったら、前記管理室親機への異常発生通知を遅延させるか実施せずに、前記居室親機、前記アダプタのうち少なくとも一方から警報を発報させ、前記生活異変センサから異常検知信号を受信した際に、前記生体モニタから受信している信号が所定の条件を満たしていなければ、前記管理室親機へも遅滞なく通知して警報を発報させる通知制御部を備えたことを特徴とする集合住宅インターホンシステム。
【請求項２】
前記住戸玄関機が警報表示灯を有し、前記通知制御部は、前記管理室親機へ異常発生通知する際に同時に前記警報表示灯を発報動作させることを特徴とする請求項１記載の集合住宅インターホンシステム。
【請求項３】
前記生活異変センサが異常検知信号を発信した住戸に、前記生体モニタを装着した居住者が複数人居る場合は、
前記通知制御部は、少なくとも１つの前記生体モニタが前記定常状態を示す信号を送信していたら、前記管理室親機への異常発生通知を遅延させるか実施しないことを特徴とする請求項１又は２記載の集合住宅インターホンシステム。
【請求項４】
前記通知制御部は、前記生体モニタから脈拍異常等の異常検知信号を受信したら前記管理室親機等に通報すると共に、前記生活異変センサから異常検知信号を受信した際に、前記生体モニタから受信している信号が所定の条件を満たしていない場合、前記管理室親機に異常発生の通知と共に生体モニタから受信した生体情報を合わせて通知することを特徴とする請求項１乃至３の何れかに記載の集合住宅インターホンシステム。
【請求項５】
前記生活異変センサから異常検知信号を発して、且つ前記生体モニタからの受信信号が定常状態にあり、前記居室親機又は前記アダプタが警報発報を行っているときに、前記居室親機または前記アダプタが警報発報を停止する所定のボタン操作以外のボタンが操作されたら、前記通知制御部は、即時に前記管理室親機へ異常発生通知を行うことを特徴とする請求項１乃至４の何れかに記載の集合住宅インターホンシステム。
【請求項６】
前記通知制御部は、生体モニタから所定時間間隔で情報を入手し、前記所定の条件を外れて、異常を示す特定の範囲の値を示す情報を入手したら、前記居室親機に加えて前記管理室親機へ遅滞なく通知して警報を発報させることを特徴とする請求項１乃至５の何れかに記載の集合住宅インターホンシステム。
【請求項７】
前記アダプタは、前記居室親機と一体としたことを特徴とする請求項１乃至６の何れかに記載の集合住宅インターホンシステム。
【発明の詳細な説明】
【技術分野】
【０００１】
本発明は、集合住宅インターホンシステムに関し、特に居住者の生活異変を感知する生活異変センサ、及び立位、臥位等の居住者の状態を検知する生体モニタを備えて、居住者に異常が発生した場合に外部に警報を発報する機能を備えた集合住宅インターホンシステムに関する。
【背景技術】
【０００２】
居住者の異常を検知して通報する機能を備えたインターホンシステムが従来よりある。例えば、特許文献１の高齢者対応の集合住宅インターホンシステムは、水量センサや人感センサ等を住戸内に設置し、水が長時間使用されない場合や居住者の移動が検知出来ない等の異常を検知したら警報を発し、合わせて管理人にも通報するよう構成されている。この構成により、居住者に異常があった場合に管理人はそれを認識でき、的確な対応をすることが可能となった。
【０００３】
一方で、要介護者に対してプライバシーを保護しつつ動作を監視して、転倒等危険な状態となった場合には救援を可能とするために、要介護者が立位、座位、臥位等のいずれの状態にあるか判別する装置が提案されている（例えば、特許文献２参照）。
また、人物がセンサを身につけて脈拍や血圧を無線で測定可能とした生体センサ機器がある。例えば、日本光電工業株式会社製の医用テレメータＺＺ−１００Ｐは、電極と送信機を内蔵した体に貼着して使用する測定器と無線式モニタとで心電図を無線で測定できる。
【０００４】
【特許文献１】特開２００３−１３４２４３号公報
【特許文献２】特開２００７−１６００７６号公報
【発明の開示】
【発明が解決しようとする課題】
【０００５】
しかしながら、上記水量センサや人感センサ等を備えた特許文献１のシステムでは、設置された複数のセンサの何れかが動作したら、直ちに管理人に警報信号が送られるため、センサの過剰動作等により誤報が発生した場合に、居住者が誤報と気づく前に管理人に通報されて、管理人に余計な手間を取らせていた。
【０００６】
そこで、本発明はこのような問題点に鑑み、センサが異常検知信号を出力しても、それが誤動作である可能性がある場合は、直ちに管理人に通報しない集合住宅インターホンシステムを提供することを目的としている。
【課題を解決するための手段】
【０００７】
上記課題を解決する為に、請求項１の発明は、集合住宅の共同玄関に設置されて居住者を呼び出すための集合玄関機と、各住戸の玄関に設置されて居住者を呼び出すための住戸玄関機と、各住戸に設置されて集合玄関機、住戸玄関機からの呼び出しに応答するための居室親機と、管理室に設置されて集合玄関機や居室親機と通話が可能な管理室親機と、居住者の異常を検知する生活異変センサが接続されて居室親機や管理室親機に居住者に発生した異常を通知するアダプタとを備えた集合住宅インターホンシステムであって、居住者が、脈拍数及び立位や臥位の姿勢情報等の居住者の身体情報を検出する生体モニタを身につけると共に、アダプタは生体モニタから送出される生体情報を入手する生体情報入力部を有し、アダプタは、生活異変センサから異常検知信号を受信した際に、生体モニタから受信している信号が所定の条件を満たす定常状態にあったら、管理室親機への異常発生通知を遅延させるか実施せずに、居室親機、アダプタのうち少なくとも一方から警報を発報させ、生活異変センサから異常検知信号を受信した際に、生体モニタから受信している信号が所定の条件を満たしていなければ、管理室親機へも遅滞なく通知して警報を発報させる通知制御部を備えたことを特徴とする。
この構成によれば、生活異変センサが異常検知信号を発信しても、居住者が警報に気づいて適切な対処が取れるような所定の条件を満たす信号が生体モニタから発せられていたら、アダプタは管理室親機への異常発生通知を遅延させるか実施しない。そのため、居住者が誤報に対処することができる状況である場合は、管理人に通報しないよう動作させることができ、管理室親機への誤報通知を減らして管理人の負担を軽減することができる。そして、居住者が対応できない状況であると判断した場合には、管理室親機に遅滞なく通報するため、迅速に対応することができる。
【０００８】
請求項２の発明は請求項１に記載の発明において、住戸玄関機が警報表示灯を有し、通知制御部は、管理室親機へ異常発生通知する際に同時に警報表示灯を発報動作させることを特徴とする。
この構成によれば、管理人だけでなく近隣の居住者に対しても異常発生を知らせることができ、管理人が不在の時であっても警報に気づかない事態を防ぐことができる。
【０００９】
請求項３の発明は、請求項１又は２に記載の発明において、生活異変センサが異常検知信号を発信した住戸に、生体モニタを装着した居住者が複数人居る場合は、通知制御部は、少なくとも１つの生体モニタが定常状態を示す信号を送信していたら、管理室親機への異常発生通知を遅延させるか実施しないことを特徴とする。
この構成によれば、居住者の１人が誤報に対応可能であれば適切な対処が取れるため、管理人に通知する必要がなく、誤報による管理人の負担を軽減することができる。
【００１０】
請求項４の発明は、請求項１乃至３の何れかに記載の発明において、通知制御部は、生体モニタから脈拍異常等の異常検知信号を受信したら管理室親機等に通報すると共に、生活異変センサから異常検知信号を受信した際に、生体モニタから受信している信号が所定の条件を満たしていない場合、管理室親機に異常発生の通知と共に生体モニタから受信した生体情報を合わせて通知することを特徴とする。
この構成によれば、生活異変センサが異常検知信号を送信した際に、生体モニタから送信される信号が所定の条件を満たさない場合、即ち居住者が正常状態でないと判断可能な場合に、異常発生通知に加えて生体情報も管理室親機に通知される。よって、異常発生時の居住者の状況を把握でき、管理人は対処し易い。
【００１１】
請求項５の発明は、請求項１乃至４の何れかに記載の発明において、生活異変センサから異常検知信号を発して、且つ生体モニタからの受信信号が定常状態にあり、居室親機又はアダプタが警報発報を行っているときに、居室親機またはアダプタが警報発報を停止する所定のボタン操作以外のボタンが操作されたら、通知制御部は、即時に管理室親機へ異常発生通知を行うことを特徴とする。
この構成によれば、異常発生を通知する警報発報を認識した居住者がパニック状態になり、機器操作に混乱しているような場合であっても、鳴動している機器の任意のボタンが押されれば管理室親機に通報されるため、管理人は異常発生を認識でき、迅速な対応をすることができる。一方、誤報である場合は、警報音停止ボタン等の所定のボタン操作により警報発報は停止し、管理人まで誤報が伝わることがない。
【００１２】
請求項６の発明は、請求項１乃至５の何れかに記載の発明において、通知制御部は、生体モニタから所定時間間隔で情報を入手し、所定の条件を外れて、異常を示す特定の範囲の値を示す情報を入手したら、居室親機に加えて管理室親機へ遅滞なく通知して警報を発報させることを特徴とする。
この構成によれば、生活異変センサが異常を検知しなくても、アダプタは生体モニタから所定時間間隔で情報を入手し、定常状態から大きく外れた数値を入手した場合には管理室親機等に通知するので、居住者自身に異変があった場合は、管理室親機等にほぼリアルタイムで通知でき、居住者に異常が発生した場合は速やかに対処することができる。
【００１３】
請求項７の発明は、請求項１乃至６の何れかに記載の発明において、アダプタは、居室親機と一体としたことを特徴とする。
この構成によれば、アダプタを別途設置する手間を省くことができ、施工を簡略化できるしコストダウンが可能になる。
【発明の効果】
【００１４】
本発明によれば、生活異変センサが異常検知信号を発信しても、居住者が警報に気づいて適切な対処が取れるような所定の条件を満たす信号が生体モニタから発せられていたら、アダプタは管理室親機への異常発生通知を遅延させるか実施しない。そのため、居住者が誤報に対処することができる状況である場合は、管理人に通報しないよう動作させることができる。よって、管理室親機への誤報通知を減らすして管理人の負担を軽減することができる。そして、居住者が対応できない状況であると判断した場合には、管理室親機に遅滞なく通報するため、迅速に対応することができる。
【発明を実施するための最良の形態】
【００１５】
以下、本発明を具体化した実施の形態を、図面に基づいて詳細に説明する。図１、図２は本発明に係る集合住宅インターホンシステムの一例を示し、図１はシステム構成図、図２は図１に示す各機器の要部をブロックで示した図である。１は集合住宅の共同玄関に設置され、居住者を呼び出すための集合玄関機、２は各住戸の玄関に設置されて居住者を呼び出すための住戸玄関機、３は各住戸内に設置されて集合玄関機１、住戸玄関機２からの呼び出しに応答するための居室親機、４は管理室に設置されて集合玄関機１や居室親機３と通話が可能な管理室親機、５は火災発生やガス漏れ等の居室内の異常を検知するセキュリティセンサ、６は居住者の動きを検知する人体検知センサや水量センサ等の生活異変センサ、７は居住者が身につけて使用され、脈拍数に加えて、立位、臥位の姿勢情報等の居住者の身体状態を検知する生体モニタ、８は生活異変センサ６や生体モニタ７が接続されて、居住者の異変を検知したら居室親機３や管理室親機１等に通知するためのアダプタである。
【００１６】
集合玄関機１は管理室親機４に伝送線Ｌ１で接続され、各居室親機３，３・・は親機幹線Ｌ２を介して管理室親機４に接続され、住戸玄関機２は伝送線Ｌ３を介して居室親機３に接続されている。また、セキュリティセンサ５は居室親機３に伝送線Ｌ４で接続され、生活異変センサ６はアダプタ８に伝送線Ｌ５で接続され、アダプタ８は伝送線Ｌ６で居室親機３に接続されている。更に、生体モニタ７は、測定した脈拍等を１０秒等の所定の時間間隔でアダプタ８に無線送信している。
【００１７】
そして、図２に示すように、集合玄関機１には、呼出先の居室親機３を選択する操作部１１、呼出操作する呼出ボタン１２、呼出先の居住者と通話するための集合玄関機通話部１３、集合玄関機全体を制御する集合玄関機ＣＰＵ１４、管理室親機４と通信するための集合玄関機インターフェース（集合玄関機ＩＦ）１５等が設けられている。
また、住戸玄関機２には、居住者を呼び出すための呼出ボタン１８、居住者と通話するための子機通話部１９、住戸内に設置されたセンサが異常を検知した場合にそれを表示するための警報表示灯２０、伝送線Ｌ３を介して居室親機３と通信するための子機インターフェース（子機ＩＦ）２１等が備えられている。
【００１８】
居室親機３には、呼び出しに応答するための通話ボタン２４、来訪者等と通話するための親機通話部２５、センサ動作等を表示する親機表示部２６、各種設定を行うための親機操作部２７、居室親機３全体を制御する親機ＣＰＵ２８、管理室親機４と通信するための親機第１インターフェース（親機第１ＩＦ）２９、住戸玄関機２を接続するための親機第２インターフェース（親機第２ＩＦ）３０、セキュリティセンサ５を接続するための親機センサインターフェース（親機センサＩＦ）３１等が備えられている。尚、親機操作部２７には警報発報をリセットする復旧ボタンが含まれている。
【００１９】
管理室親機４には、呼び出しに応答するための通話ボタン３３、居室親機３等と通話するための管理室親機通話部３４、センサ動作内容等を表示する管理室親機表示部３５、各種設定や呼び出す居室親機３を選択するための管理室親機操作部３６、管理室親機４全体を制御する管理室親機ＣＰＵ３７、親機幹線Ｌ２を介して居室親機３と通信するための管理室親機第１インターフェース（管親第１ＩＦ）３８、伝送線Ｌ１を介して集合玄関機１と通信するための管理室親機第２インターフェース（管親第２ＩＦ）３９等が設けられている。
【００２０】
そして、アダプタ８には、異常発生を報音する発報部４１、伝送線Ｌ５を介して生活異変センサ６が接続されるセンサインターフェース（センサＩＦ）４２、生体モニタ７からの信号を無線受信する無線受信部４３、発報動作状態にあるアダプタ８をリセットさせる復旧ボタン４４、アダプタ８全体を制御するアダプタＣＰＵ４５、伝送線Ｌ６を介して居室親機３と通信するためのアダプタインターフェース（アダプタＩＦ）４６等を備えている。
【００２１】
このように構成された集合住宅インターホンシステムの動作は以下のようである。但し、集合玄関機１からの呼出操作、居室親機３によるその応答操作等は従来と同様であるため説明を省略し、ここではアダプタ８に接続された生活異変センサ６が動作した場合のシステムの動作を中心に図３のフローチャートを参照して説明する。図３は、居室親機３に接続されたセキュリティセンサ５、アダプタ８に接続された生活異変センサ６、生体モニタ７がそれぞれ異常を検知した場合の動作の流れを示している。
【００２２】
生活異変センサ６にには、例えば人物の動きを検知する人体検知センサ、水道水の使用状況を検知する水量センサ、ベッドでの居住者の状態を検知するベッドセンサ、電気機器の操作状況を検知する家電操作センサ等がある。例えばリビングルームに設置されている人体感知センサは、一定時間（例えば、２４時間）居住者の動きを感知しない場合、異常発生と判断して異常検知信号を送出する。また、トイレに人体感知センサが設置されている場合は、一定時間（例えば、２時間）を越えて居住者の存在を感知し続けたら、異常発生と判断して異常検知信号を送出する。
【００２３】
更に、水量センサが設置されている場合、水量センサは水が所定の長時間に亘り連続利用されている場合、或いは所定の長時間に亘り使用されない状態を検出したら異常発生と判断して異常検知信号を送出する。
また、ベッドセンサはベッドに居住者が就寝状態にあるか、転落していないか検出し、このベッドセンサは、例えば２０時間に亘り就寝し続けている状態を検出した場合、或いは転落を検知した場合に異常発生と判断して異常検知信号が送出される。
【００２４】
アダプタ８は、このような生活異変センサ６から異常検知信号が送信されたら（Ｓ１）、アダプタＣＰＵ４５の制御により、まず居住者が身につけている生体モニタ７の直前に入手した情報を確認し（Ｓ２）、この最新情報が所定の条件を満たしているか判断（Ｓ３）する。
生体モニタ７の情報から、立位状態にあり且つ脈拍正常等の定常状態であると判断した場合は、生活異変センサ６の誤動作、あるいは生活異変センサ６の過剰反応等の誤報であると判断し、居住者にリセットを促すために居室親機３のみ発報動作させ（Ｓ４）、合わせてアダプタ８の発報部４１を発報動作させる。また、生体モニタ７が定常状態でなければ、居室親機３に加えて管理室親機４等他の機器でも発報動作させる（Ｓ９）。
【００２５】
具体的に、定常状態であると判断した場合は、アダプタＩＦ４６、伝送線Ｌ６を介して居室親機３にのみ異常発生信号を送信する。親機ＣＰＵ２８は、親機第２ＩＦ３０を介して異常発生信号を受信したら、親機通話部２５に設けられたスピーカ（図示せず）から警報音を鳴動させ、親機表示部２６に異常検知信号送信元の情報、例えば「リビングのセンサが動作しました」を表示させる。尚、親機表示部２６に表示される異常検知信号送信元の生活異変センサ情報は、異常発生信号と共に居室親機３に送信され、文字情報はアダプタＣＰＵ４５に施工時に記憶されている。
【００２６】
この報知動作を受けて、誤報を確認した居住者により親機操作部２６が警報音を停止する所定の操作が成されたら（Ｓ５）、居室親機３に加えてアダプタ８の警報音は停止し（Ｓ８）、リセットされる。尚、アダプタ８の復旧ボタン４４が操作されても、アダプタＣＰＵ４５により居室親機３、アダプタ８双方の発報は停止し、リセットされる。
【００２７】
但し、アダプタＣＰＵ４５は、生体モニタ７からの送信信号が定常状態であっても、例えば５分等の所定時間をカウント（Ｓ７）しても、警報音停止操作、或いはアダプタ８のリセット操作が成されなければ、何らかの異常発生と判断して、住戸玄関機２、管理室親機４に通報（異常発生信号を送信）し、発報動作させる（Ｓ９）。
具体的に、居室親機３に加えて、居室親機３を介して住戸玄関機２及び管理室親機４に異常発生信号を送信する。伝送線Ｌ３を介して異常発生信号が送信された住戸玄関機２は、子機通話部のスピーカ（図示せず）から警報音を鳴動させ、警報表示灯２０を点灯して報知動作する。また、伝送線Ｌ２、管親第１ＩＦ３８を介して異常発生信号を受信した管理室親機ＣＰＵ３７は、管理室親機４のスピーカから警報音を鳴動させ、管理室親機表示部３５に異常検知信号送信元の生活異変センサ情報、例えば「２０５号住戸のリビングのセンサが動作しました」を表示させる。
【００２８】
また、異常発生信号を受けて居室親機３が発報動作した際に、居住者がパニックに陥ってしまい、居室親機３の親機操作部２７等が無作為に操作された場合、具体的に警報音停止操作、またはアダプタ８の復旧ボタン４４等の復旧操作以外の操作が行なわれた場合（Ｓ６）には、アダプタＣＰＵ４５が異常事態発生と判断して、住戸玄関機２や管理室親機４へ異常発生信号を送信して発報動作させる（Ｓ９）。この異常発生信号を受けて、居室親機３、住戸玄関機２、管理室親機４は、上記発報動作と同様にスピーカから警報音を鳴動すると共に、住戸玄関機２では警報表示灯２０が点灯し、親機表示部２６及び管理室親機表示部３５は異常検知信号送信元の生活異変センサ情報を表示する。
【００２９】
一方、生活異変センサ６が異常検知信号を送出した際に、生体モニタ７の情報が定常状態に無い場合（Ｓ３のＮ）、例えば脈拍等の情報が定常状態でない場合や居住者が臥位の状態にある等の非定常状態にある場合は、アダプタＣＰＵ４５は、居室親機３に加えて、遅延することなく住戸玄関機２、及び管理室親機４に異常発生信号を送信し、それぞれを発報動作させる（Ｓ９）。但し、このとき送信される異常発生信号には、異常検知信号送信元の生活異変センサ情報に加えて、非定常状態を示す生体情報も送信される。
【００３０】
具体的に、定常状態にないと判断した場合は、アダプタＩＦ４６、伝送線Ｌ６を介して居室親機３に異常発生信号を送信すると共に、居室親機３を介して住戸玄関機２及び管理室親機４に異常発生信号を送信する。異常発生信号を受けて、居室親機３は、上記定常状態の場合の動作と同様に、スピーカから警報音を鳴動させ、親機表示部２６に異常検知信号送信元の情報を表示する。
そして、住戸玄関機２は発報動作すると共に警報表示灯２０を点灯させて異常発生を報知するし、管理室親機４は、異常発生信号を受信して発報動作し、管理室親機表示部３５にはセンサ情報に加えて非定常状態にある生体モニタ７の情報、例えば脈拍が異常を示す場合は「脈拍が正常値ではありません」の情報が表示される。また、臥位にあるとする信号を受信した場合は「居住者が横になった状態です」の情報が表示される。
【００３１】
更に、例えば居住者の脈拍が正常範囲と定めた所定の範囲を著しく逸脱し、予め設定した特定の範囲の数値を示したら（Ｓ１０）、アダプタＣＰＵ４５は、生活異変センサ６の状態とは関係無く、異常発生通知を居室親機３に加えて住戸玄関機２、管理室親機４に対して行う。この異常発生通知を受けた各機器は警報発報を実施し（Ｓ９）、住戸玄関機２の警報表示灯２０を点灯させ、親機表示部２６、管理室親機表示部３５に、例えば「脈拍が異常値を示しています」が表示される。
【００３２】
一方、セキュリティセンサ５が動作した場合（Ｓ１１）は、親機ＣＰＵ２８の制御により、居室親機３、住戸玄関機２、管理室親機４が警報発報動作する（Ｓ９）と共に、親機表示部２６、管理室親機表示部３５には、「火災が発生しました」等の表示が成される。
【００３３】
このように、生活異変センサが異常検知信号を発信しても、居住者が警報に気づいて適切な対処が取れるような立位状態及び脈拍正常を示す情報を生体モニタから入手していたら、アダプタは管理室親機への異常発生信号の送信を遅延させるか実施しない。そのため、居住者が誤報に対処することができる状況である場合は、管理人に通報しないよう動作させることができ、管理室親機への誤報通知を減らして管理人の負担を軽減することができる。そして、居住者が対応できない状況であると判断した場合には、管理室親機に遅滞なく通報するため、迅速に対応することができる。
また、立位状態及び脈拍正常を定常状態として、管理室親機へ通知する／しないの判断基準とすることで、的確な判断をすることが出来る。
更に、異常発生時には、管理室親機だけでなく住戸玄関機からも警報発報するので、管理人だけでなく近隣居住者に対しても異常発生を知らせることができ、管理人が不在の時であっても警報に気づかない事態を防ぐことができる。
【００３４】
また、生活異変センサが異常検知信号を送信した際に、生体モニタから送信される信号が所定の条件を満たさない場合、即ち居住者が正常状態でないと判断可能な場合に、異常発生通知に加えて生体情報も管理室親機に通知されるので、異常発生時の居住者の状態を把握でき、管理人は対処し易い。
そして、異常発生を通知する警報発報を認識した居住者がパニック状態になり、機器操作に混乱しているような場合であっても、鳴動している機器の任意のボタンが押されれば管理室親機に通報されるため、管理人は異常発生を認識でき、迅速な対応をすることができる。一方、誤報である場合は、警報音停止ボタン等の所定のボタン操作により警報発報は停止し、管理人まで誤報が伝わることがない。
また、生活異変センサが異常を検知しなくても、アダプタは生体モニタから所定時間間隔で情報を入手し、定常状態から大きく外れた数値を入手した場合に管理室親機等に通知するので、居住者自身に異変があった場合は、管理室親機等にリアルタイムで通知でき、居住者に発生した異常を遅滞なく外部に通報でき、速やかな対処が可能となる。
【００３５】
尚、上記アダプタ８の動作は、生体センサ６を身につけた居住者が１人の場合を前提に説明したが、２人以上の居住者が生体センサを身につけている場合は、生活異変センサが異常検知信号を出力した時に、少なくとも１人の居住者が定常状態である場合には、上記動作と同様に居室親機のスピーカからのみ警報音を鳴動させればよい。このように制御することで、居住者の１人が誤報に対応可能であれば適切な対処が取れるため、管理人に通知する必要がなく、誤報による管理人の負担を軽減することができる。
【００３６】
また、２人以上の居住者が生体センサを身につけている場合でも、生活異変センサ６が異常検知信号を送出したとき、アダプタＣＰＵ４５が全ての居住者が臥位にある等定常状態になく、生体モニタ７の情報から居室内で直ちに対応ができないと判断した場合には、居室親機３のスピーカからの警報音鳴動と同時に、住戸玄関機２及び管理室親機４からも警報を鳴動させ、住戸玄関機２の警報表示灯２０を点灯させれば良い。
【００３７】
更に、上記実施形態では、アダプタ８が居室親機３と独立した構成となっているが、一体に構成しても良く、一体とすることでアダプタ８を別途設置する手間を省くことができ、コストダウンが可能になる。また、住戸玄関機２の警報表示灯２０や管理室親機表示部３５も必須ではなく、少なくとも警報音が鳴動、又は異常発生を報知できれば本発明を実施することができる。
【図面の簡単な説明】
【００３８】
【図１】本発明に係る集合住宅インターホンシステムの実施形態の一例を示す構成図である。
【図２】図１の構成の要部をブロック図で表した構成図である。
【図３】センサ動作による通報動作の流れを示すフローチャートである。
【符号の説明】
【００３９】
１・・集合玄関機、２・・住戸玄関機、３・・居室親機、４・・管理室親機、５・・セキュリティセンサ、６・・生活異変センサ、７・・生体モニタ、８・・アダプタ、１９・・通話部、２０・・警報表示灯、２５・・親機通話部、２６・・親機表示部、２７・・親機操作部、２８・・親機ＣＰＵ、３４・・管理室親機通話部、３５・・管理室親機表示部、３７・・管理室親機操作部、４１・・発報部、４４・・復旧ボタン、４５・・アダプタＣＰＵ（通知制御部）。
【図１】
2010056895.tif 000003
【図２】
2010056895.tif 000004
【図３】
2010056895.tif 000005